(57)【要約】【課題】広範囲から視認可能な上、状況等に応じて装着態様を選択でき、しかも簡易構造で低コストな什器用表示具を提供する。【解決手段】支持片部１０を什器９０のポケット部９１へ挿入させて、表示片部２０を什器９０外に露出させるようにした什器用表示具において、前記支持片部１０は、前記表示片部２０の両端側の各々に、一体的に設けられ、前記表示片部２０は、その表面に表示部２２を有するとともに、中央側を手前方向へ突出させて曲げられるように形成されている。【選択図】          図１
2004219920.tif 000002
【特許請求の範囲】
【請求項１】
支持片部を什器のポケット部へ挿入させて、表示片部を什器外に露出させるようにした什器用表示具において、
前記支持片部は、前記表示片部の両端側の各々に、一体的に設けられ、
前記表示片部は、その表面に表示部を有するとともに、中央側を手前方向へ突出させて曲げられるように形成されていることを特徴とする什器用表示具。
【請求項２】
上記表示片部における上記支持片部側には、上記ポケット部を構成する前板に係合させるための切欠部が形成されていることを特徴とする請求項１記載の什器用表示具。
【請求項３】
上記表示片部には、上記手前方向への曲げを容易にする折目部が形成されていることを特徴とする請求項１又は２記載の什器用表示具。
【請求項４】
上記支持片部は、上記表示片部の両端側の各々に、略直角に連接されていることを特徴とする請求項１乃至３何れか１項記載の什器用表示具。
【発明の詳細な説明】
【０００１】
【発明の属する技術分野】
本発明は、什器に装着される表示具に関し、特に筆記具の展示販売用の什器に装着するのに好適な什器用表示具に関するものである。
【０００２】
【従来の技術】
従来、この種の発明には、例えば、特許文献１に記載されているように、什器のポケット部内へ挿入される支持片と、該支持片の略中央から直角方向へ突出された案内表示片とからなる平面視略Ｔ字状（特許文献１における図２参照）に構成されるとともに、前記支持片の下部側中央に、什器の仕切り壁を跨がせるためのスリットを形成した表示具がある。
【０００３】
しかしながら、上記従来技術によれば、什器に装着した状態において、平板状の案内表示片が、支持片に対して直角する手前方向へ突出するため、案内表示片の表示を、什器の正面側から視認できない、すなわち什器の側面側からしか視認できないという不具合を有していた。
更に、上記従来技術は、上記スリットを什器の仕切り壁に跨がせるようにして、隣接する二つのポケット部の略中央に装着しなければならず、什器への装着態様が一つのパターンに限定されてしまうという問題点を有していた。したがって、例えば、一つのポケット部内の製品のみを案内表示片の表示対象としたい場合には、案内表示片の一方の面のみに前記製品に対する表示を印刷する必要がある上、三つのポケット部に跨って挿入された同一製品を案内表示片の表示対象としたい場合等には、上記従来の表示具を複数用いる必要があった。
【０００４】
【特許文献１】
実願平１０−８７２５号公報
【０００５】
【発明が解決しようとする課題】
本発明は上記従来事情に鑑みてなされたものであり、その課題とする処は、広範囲から視認可能な上、状況等に応じて装着態様を選択でき、しかも簡易構造で低コストな什器用表示具を提供することにある。
【０００６】
【課題を解決するための手段】
上記課題を解決するための本発明の技術的手段は、支持片部を什器のポケット部へ挿入させて、表示片部を什器外に露出させるようにした什器用表示具において、前記支持片部は、前記表示片部の両端側の各々に、一体的に設けられ、
前記表示片部は、その中央側を手前方向へ突出させて曲げられるように形成されていることを特徴とする。
ここで、上記ポケット部とは、当該什器用表示具の装着対象となる什器に形成された空間であって、前後左右及び底面が囲まれ、上方から筆記具等の製品が挿入されるようにした空間である。
また、上記表示部とは、什器内に挿入される筆記具等の製品に対する製品名や、メーカー名、広告、価格、その他の文字、図形、模様、色等が適宜施された部位であり、例えば、印刷やシール貼り等の技術的手段により施される。
また、上記「中央側を手前方向へ突出させて曲げられるように形成されている」とは、当該什器用表示具が上記什器に装着された際に、上記表示片部がその中央側を上記ポケット部から手前方向へ突出させて曲げられるように形成されていることを意味する。この表示片部の具体例としては、表面に押圧跡やミシン目等を設けることで折り曲げを容易にした態様や、可撓性材料から形成することで湾曲状に曲げ可能とにした態様等が挙げられる。
【０００７】
更に、第二の発明では、上記表示片部における上記支持片部側には、上記ポケット部を構成する前板に係合させるための切欠部が形成されていることを特徴とする。
【０００８】
更に、第三の発明では、上記表示片部には、上記手前方向への曲げを容易にする折目部が形成されていることを特徴とする。
ここで、上記折目部とは、上記表示片部の上記手前方向への曲げを容易にするものであればよい。この折目部には、例えば、金型により押圧されることで形成された断面凹状の溝や、ミシン目等を含む。
【０００９】
更に、第四の発明では、上記支持片部は、上記表示片部の両端側の各々に、略直角に連接されていることを特徴とする。
【００１０】
【発明の実施の形態】
以下、本発明の実施の形態を図面に基づいて説明する。
この什器用表示具１は、厚紙を型抜きすることによって、左右の支持片部１０，１０と、これら支持片部１０，１０間にわたる表示片部２０とからなり開口側を下へ向けた正面視略コ字状に形成されている（図２参照）。そして、この什器用表示具１は、什器９０への装着状態において、前記両支持片部１０，１０を什器９０のポケット部９１へ挿入させるとともに、前記表示片部２０を什器９０外へ露出させる（図１参照）。
【００１１】
各支持片部１０は、縦長矩形状を呈し、その下端辺の左右の角側に、Ｒ状にカットされたＲ部１１を形成することで、什器９０への挿入を容易にするとともに、表示片部２０が折り曲げられる際等に手で触れられた際の感触を良好にしている。更に、同支持片部１０は、上端辺の角側にも、前記同様のＲ部１２を形成している。
【００１２】
また、各支持片部１０の表面には、当該什器用表示具１の使用方法等を図示及び文章により説明した説明表示１３が設けられている。
この説明表示１３は、具体的には、当該什器用表示具１を表示片部２０の略中央で内面側へ折り曲げようとしている図、及び「中央で二ツ折にし、什器に差し込んでご使用下さい」という文章を印刷したものであり、当該什器用表示具１の使用方法を視覚的に容易に認識させるものである。
【００１３】
そして、左右の支持片部１０，１０の間には、各支持片部１０に対して略直角且つ一体的に、表示片部２０が連接されている。
表示片部２０は、展開状態において正面視略横長矩形状を呈し、その表面における略中央に、当該什器用表示具１を折り曲げ容易にする折目部２１が形成され、同表面における折目部２１の左右両側には、それぞれ表示部２２を配設している。
【００１４】
前記折目部２１は、当該什器用表示具１を厚紙から型抜きする際に、金型により押圧されることで形成された直線状の凹みであり、表示片部２０を左右に略二等分するように、表示片部２０の長手方向の略中央に形成されている。
【００１５】
また、この折目部２１の上端側と下端側との各々の部位には、Ｒ部２３が形成されている。
これらＲ部２３は、表示片部２０が折目部２１を境に折り曲げられた際、その折目の上下端側に配置されるように、表示片部２０における折目部２１の上下端側を切欠することで形成されている。
これらＲ部２３は、当該什器用表示具１が手で触れられた際の感触を良好にするとともに、表示片部２０の上下方向の幅を、折目部２１の位置にて部分的に狭くすることで、表示片部２０の折り曲げを容易にしている。
【００１６】
前記折目部２１の両側の各表示部２２は、什器９０内に挿入される筆記具等の製品ａに対する製品名や、メーカー名、広告、価格、その他の文字、図形、模様、色等を適宜印刷したものである。
【００１７】
また、上記構成の表示片部２０における両支持片部１０，２０側には、切欠部３０，３０が形成されている。
各切欠部３０は、下方側を開口した切欠であり、什器９０のポケット部９１を構成する前板９１ａに対してガタつきなく係合させるために、その幅寸法ｘを前板９１ａの厚さ寸法よりも若干広い程度に設定し、且つ、その深さ寸法ｙを、前板９１ａの高さ寸法（図２における上下幅寸法）の半分よりも若干長い程度に設定している。
【００１８】
次に、上記構成の什器用表示具１を什器９０に装着する際の作用効果について詳細に説明する。
什器９０は、例えばアクリル等の合成樹脂材料から形成され、筆記具等の製品ａを挿入するための複数のポケット部９１を有する（図３参照）。
各ポケット部９１は、前板９１ａや、仕切り壁９１ｃ、底板（図示せず）等によって囲まれた平面視略矩形状の空間である。
【００１９】
図３に例示する什器９０によれば、複数並設されたポケット部９１が階段状に二段配置され、その上段側における中央のポケット部９１に当該什器用表示具１が装着されている。この装着状態において、什器用表示具１は、折目部２１を境にして略Ｖ字状に折り曲げられ、両支持片部１０，１０をポケット部９１に挿入させるとともに、左右の切欠部３０，３０を前板９１ａに係合させた状態で、表示片部２０を手前方向へ突出させている。
表示片部２０は、什器９０における上段側の前板９１ａの上辺側から手前方向へ突出するため、什器９０における下段側に装着された複数の製品ａに干渉するようなことがない。
しかも、表示片部２０は、略Ｖ字状に突出しているため、表示部２２を、正面側（手前側）、左右側面側等、前板９１ａの前方側における略１８０度の角度から視認可能である。
【００２０】
また、図４は、什器９０のポケット部９１に予め複数の製品ａが密に挿入されている場合において、そのポケット部９１に当該什器用表示具１を装着した一態様を示している。
この場合には、図示するように、当該什器用表示具１を、折目部２１を境にして二つ折り状に折り曲げ、略重ね合わせられた支持片部１０，１０をポケット部９１内における近接する製品ａの間に挿入させるようにすれば、予め密に挿入された複数の製品ａが邪魔になるようなことなく、当該什器用表示具１を容易に什器９０へ装着することができる。
【００２１】
また、当該什器用表示具１は、図５（ａ）に示すように単一のポケット部９１に装着可能な上、図５（ｂ）〜（ｄ）に示すように、複数のポケット部９１に跨って装着することも可能である。
すなわち、当該什器用表示具１は、略Ｖ字状に折り曲げられる表示片部２０の角度を調整することにより、両支持片部１０間の間隔を調整できるため、単一若しくは複数のポケット部９１への装着が可能である。
したがって、当該什器用表示具１によれば、単一のポケット部９１に挿入された製品ａを表示対象とすることができるのは勿論のこと、複数のポケット部９１に挿入された製品ａを表示対象とすることも容易である。
【００２２】
次に、本発明に係わる什器用表示具の他例について説明する。尚、後述する各什器用表示具において、上記什器用表示具１と略同様の部位については、同一部位に同一符号を付けるとともに重複する詳細説明を省略する。
【００２３】
図６に示す什器用表示具２は、上記什器用表示具１における各支持片部１０の上端側に、上方へ延出された突出部１４を設けた態様である。各突出部１４には、表示部２２’が設けられている。
この什器用表示具２によれば、上記什器用表示具１と同様の表示部２２に加えて、各突出部１４にも表示部２２’を有するため、広告および表示効果を向上させることができる。
【００２４】
また、図７に示す什器用表示具３は、表示片部２０に二本の折目部２１を形成することで、表示片部２０が正面部２０ａと左右の傾斜面部２０ｂ，２０ｂとからなる略台形状に折りまげられるようにした態様である。
この什器用表示具３は、正面部２０ａと左右の傾斜面部２０ｂ，２０ｂとの各々に表示部２２’を有するため、正面側からの表示部２２の視認性、及び側方からの表示部２２’の視認性を向上することができる。
【００２５】
尚、上記什器用表示具１〜３においては、折目部２１を単数本もしくは二本設けた態様を示したが、折目部２１の数は上記態様に限定されるものでない。例えば、折目部２１の数を三本以上とし、表示部２２が三箇所以上の箇所で折り曲げられるようにすることも可能である。
また、図８に示す什器用表示具４のように、折目部２１を省いた簡素な構造とし、表示片部２０が湾曲状に曲げられるようにすることも可能である。
【００２６】
また、図９に示す什器用表示具５は、表示片部２０における左右部位２０ｄ，２０ｅ間に、蛇腹状に伸縮するように折り曲げられる蛇腹片部２４を設けた態様である。この什器用表示具５によれば、略Ｖ字状に折り曲げられる左右部位２０ｄ，２０ｅの角度が、伸縮自在な蛇腹片部２４により、ある程度一定に保持されるため、什器９０への装着状態を安定させることができる。
【００２７】
また、本発明の他の態様としては、例えば、上記什器用表示具５における蛇腹片部２４の上面側に、上方へ突出する表示片部（図示せず）を設けることで、広告表示効果を向上した態様や、上記什器用表示具５における左右部位２０ｄ，２０ｅの間に、これら左右部位２０ｄ，２０ｅを開く動作に連動して上方へ突出する表示片部（図示せず）を設けることで、広告表示効果を向上した態様等が挙げられる。
【００２８】
【発明の効果】
本発明は、以上説明したように構成されているので、以下に記載されるような作用効果を奏する。
第一の発明によれば、表示片部が曲げられて、両支持片部が什器のポケット部へ挿入されると、表示片部がポケット部の手前方向へ突出する。
その際、表示片部の表示は、曲げられ手前方向へ突出する表面上に配置されるため、什器の正面方向、右方向、左方向等、什器の背面方向を除く任意の方向から視認可能となる。
しかも、表示片部を曲げることで両支持片部の間隔を調整できるため、什器における単一のポケット部に装着できるのは勿論のこと、複数並設されているポケット部を跨がせるようにして装着することも可能である。
更に、同一のポケット部に筆記具等の多数の製品が近接して密に挿入されている場合であっても、表示片部を二つ折り状に曲げ、内面同士を重ね合わせた両支持片部を、近接する筆記具の間に容易に挿入させることができる。
よって、広範囲から視認可能な上、状況等に応じて装着態様を選択でき、しかも簡易構造で低コストな什器用表示具を提供することができる。
【００２９】
更に、第二の発明によれば、切欠部を什器の前板に係合させることで、当該什器用表示具を安定的に支持することができる。
【００３０】
更に、第三の発明によれば、折目部により表示片部の折り曲げが容易な上、表示片部を折り曲げた際の角度の調整も容易に行うことができる。
【００３１】
更に、第四の発明によれば、什器に装着した際のバランスが良く、しかも簡易構造で製造性に優れた什器用表示具を提供することができる。
【図面の簡単な説明】
【図１】本発明に係わる什器用表示具の一例を示す正面側斜視図。
【図２】同什器用表示具を示す展開図。
【図３】同什器用表示具の使用状態の一例を示す斜視図。
【図４】同什器用表示具の使用状態の他例を示す平面図。
【図５】同什器用表示具の使用状態の他例を（ａ）乃至（ｄ）の各々に示す平面図。
【図６】本発明に係わる什器用表示具の他例を示す正面側斜視図。
【図７】本発明に係わる什器用表示具の他例を示す正面側斜視図。
【図８】本発明に係わる什器用表示具の他例を示す正面側斜視図。
【図９】本発明に係わる什器用表示具の他例を示す正面側斜視図。
【符号の説明】
１．２．３．４．５：什器用表示具
１０：支持片部
２０：表示片部
２２，２２’：表示部
２１：折目部
３０：切欠部
９０：什器
９１：ポケット部
９１ａ：前板
【図１】
2004219920.tif 000003
【図２】
2004219920.tif 000004
【図３】
2004219920.tif 000005
【図４】
2004219920.tif 000006
【図５】
2004219920.tif 000007
【図６】
2004219920.tif 000008
【図７】
2004219920.tif 000009
【図８】
2004219920.tif 000010
【図９】
2004219920.tif 000011